(57)【要約】【課題】電子部品の電極端子とソケット本体の電極部との接触部に均一な押圧力を付与させる。【解決手段】電子部品用ソケットは、電子部品１が載置され電子部品１の電極端子と接触される電極部３２およびロック４８部を有するソケットベース２と、ソケットベース２に枢着されるソケットカバー５と、ソケットベース２に枢着される操作レバー６とを備えている。また、操作レバー６は、ソケットカバー５を電子部品１の電極端子とソケットベース２の電極部３２との接触を保持するように電子部品１に対して押圧する回動押圧部６１ａと、ソケットカバー５を電子部品１に対して押圧した状態で回動押圧部６１ａを固定するようにロック部４８に係止されるアーム部６２とを備えている。さらに、ソケットカバー５は、回動押圧部６１ａに係合してソケットカバー５を押圧する係合部５４と、電子部品１に係合して電子部品１を押圧する爪部５８ａ〜５８ｄとを備えている。【選択図】図２
2004152535.tif 000002
【特許請求の範囲】
【請求項１】
電子部品が載置され前記電子部品の電極端子と接触する電極部およびロック部を有するソケットベースと、前記ソケットベースに枢着されるソケットカバーと、前記ソケットベースに枢着される操作レバーとを備える電子部品用ソケットにおいて、
前記操作レバーは、前記ソケットカバーを前記電子部品の電極端子と前記ソケットベースの電極部との接触を保持するように前記電子部品に対して押圧する回動押圧部と、前記ソケットカバーを前記電子部品に対して押圧した状態で前記回動押圧部を固定するように前記ロック部に係止するアーム部とを備えることを特徴とする電子部品用ソケット。
【請求項２】
前記ソケットカバーは、前記回動押圧部に係合して前記ソケットカバーを押圧する係合部と、前記電子部品に係合して前記電子部品を押圧する爪部とを備えることを特徴とする請求項１記載の電子部品用ソケット。
【発明の詳細な説明】
【０００１】
【発明の属する技術分野】
本発明は、電子部品用ソケットに係わり、特に、ＣＰＵ、ＭＰＵ等の電子部品のバーンインテストや実装用の治具として使用することができる電子部品用ソケットに関する。
【０００２】
【従来の技術】
従来から、この種の電子部品用ソケットとして、電子部品をソケット本体に対して押圧することにより、電子部品の電極端子とソケット本体の電極部との接触を保持し、ソケット本体の電極部をプリント基板の電極端子に接続して成るものが知られている（例えば、特許文献１参照）。
【特許文献１】特開平１１−１７６５４６号公報（段落番号「０００９」〜「００２２」、図１〜図３）
【０００３】
【発明が解決しようとする課題】
この電子部品用ソケットにおいては、ソケット本体の一端縁部に押圧部材を枢動自在に結合し、当該結合位置を中心として揺動させた押圧部材で電子部品をソケット本体側に押圧し、この状態で押圧部材の他端部に取り付けたフックをソケット本体の掛止部に掛止することにより、電子部品をソケット本体に固定するとともに、電子部品の電極端子とソケット本体の電極部との接触を保持している。
【０００４】
このような構成の電子部品用ソケットにおいては、電子部品を簡単に着脱することができ、メンテナンス等が容易になるというメリットがある。
【０００５】
しかしながら、このような構成の電子部品用ソケットにおいては、電子部品の電極端子とソケット本体の電極部との接触部に不均一な押圧力が付与され、ひいては接触不良等が発生するおそれがあり、また、ソケット本体の構成が複雑で大型化し重量も重くなることから、主として、バーンインテスト用としてのみ使用され、実装用には適用できないという難点があった。
【０００６】
本発明は、このような難点を解消するためになされたもので、簡単な構成で電子部品の電極端子とソケット本体の電極部との接触部に均一な押圧力を付与し、また、バーンインテスト用としてのみならず実装用にも適用できる電子部品用ソケットを提供することを目的としている。
【０００７】
【課題を解決するための手段】
上記の目的を達成するため、本発明の電子部品用ソケットは、電子部品が載置され電子部品の電極端子と接触する電極部およびロック部を有するソケットベースと、ソケットベースに枢着されるソケットカバーと、ソケットベースに枢着される操作レバーとを備えており、当該操作レバーは、ソケットカバーを電子部品の電極端子とソケットベースの電極部との接触を保持するように電子部品に対して押圧する回動押圧部と、ソケットカバーを電子部品に対して押圧した状態で回動押圧部を固定するようにロック部に係止するアーム部とを備えている。
【０００８】
また、本発明の電子部品用ソケットにおけるソケットカバーは、回動押圧部に係合してソケットカバーを押圧する係合部と、電子部品に係合して電子部品を押圧する爪部とを有している。
【０００９】
本発明の電子部品用ソケットによれば、操作レバーの回動押圧部によりソケットカバーを電子部品の電極端子とソケットベースの電極部との接触を保持するように電子部品に対して押圧することができ、また、この状態で操作レバーのアーム部をロック部に係止することができることから、簡単な構成で電子部品の電極端子とソケット本体の電極部との接触部に均一な押圧力を付与することができ、また、電子部品用ソケットが小型化され軽量であることから、バーンインテスト用としてのみならず実装用にも適用することができる。
【００１０】
【発明の実施の形態】
以下、本発明の電子部品用ソケットを適用した好ましい実施の形態例について、図面を参照して説明する。ここで、図１は電子部品の一実施例を示す側面図、図２は本発明の電子部品用ソケットの一実施例を示す斜視図、図３及び図４は本発明の一実施例におけるソケットベースの説明図、図５は本発明の一実施例におけるソケットカバーの説明図、図６は本発明の一実施例における操作レバーの説明図、図７は本発明の一実施例におけるソケットベースの組立状況を示す説明図、図８は本発明の一実施例における電子部品用ソケットの組立手順を示す説明図である。なお、これらの図においては、共通する部分には同一の符号が付されている。
【００１１】
図１において、例えばＢＧＡ（Ｂａｌｌ  Ｇｒｉｄ  Ａｒｒａｙ）等から成る電子部品１は、パッケージ１１と、パッケージ１１の裏面に格子状に配列された多数個の接続端子１２とを備えており、この接続端子１２は球形のハンダボール等で構成されている。
【００１２】
次に、本発明の電子部品用ソケットは、図２に示すように、主面の略中央部に電子部品１を収容するための凹部２１を有するソケットベース２と、このソケットベース２の一端縁部側（図中左側）に枢着されるソケットカバー５と、ソケットベース２の他端縁部側（図中右側）に枢着される操作レバー６とを備えている。
【００１３】
ソケットべ−ス２は、プリント基板７上に載置される矩形状の下部ソケットベース３と、下部ソケットベース３上に固着され、外形が下部ソケットベース３と略同一とされた上部ソケットベース４とで構成されており、これらの上下ソケットベース３、４は後述するネジ部材によりプリント基板７と一体化されている。
【００１４】
下部ソケットベース３は、図３（ａ）に示すように、樹脂製でかつ矩形状の平板部材（以下「第１の平板部材」という。）３１を備えており、この第１の平板部材３１の主面には電子部品１の接続端子１２と対応する多数個の電極部３２が格子状に配列されている。また、第１の平板部材３１の４隅には後述するネジ部材を挿入するための挿通孔（以下「第１の挿通孔」という。）３３が設けられ、これらの第１の挿通孔３３間には位置決め用の突起３４が設けられている。さらに、第１の平板部材３１の一端縁部側（図中右側）近傍の上面には後述する操作レバー６のシャフト部を挟持するための半円状の溝（以下「第１の半円溝」という。）３５が一端縁部と平行に設けられている。
【００１５】
上部ソケットベース４は、図４（ａ）に示すように、金属製でかつ矩形状の平板部材（以下「第２の平板部材」という。）４１を備えており、この第２の平板部材４１の略中央部には電子部品１の外形と略同形の開口部（以下「べ−ス開口部」という。）４２が設けられ、このベース開口部４２の周りには第１の挿通孔３３と対応する挿通孔（以下「第２の挿通孔」という。）４３及び突起３４と対応する透孔４４がそれぞれ設けられている。また、第２の平板部材４１の他端縁部側（図中左側）両側縁部には一対の軸棒４５ａ、４５ｂが他端縁部と平行に突設されている。また、第２の平板部材４１の一端縁部側（図中右側）には後述する操作レバー６のシャフト部を連結するための一対の軸受部４６ａ、４６ｂが離間して連設され、これらの軸受部４６ａ、４６ｂには、図４（ｂ）に示すように、操作レバー６のシャフト部を扶持するための半円状の溝（以下「第２の半円溝」という。）４７ａ、４７ｂが一端縁部と平行に設けられている。さらに、第２の平板部材４１の一側縁部（図中下部側）には後述する操作レバー６のアーム部を係止するためのフック部４８が一側縁部より外方に向けて突設されており、このフック部の上部には、図４（ｃ）に示すように、後述するソケットカバー５の枠部材が炭着される凹溝４８ａが、図中右側の角部には操作レバー６のアーム部をスライドして下降させるための傾斜部４８ｂが、図中右側の角部下面には操作レバー６のアーム部を係合するための湾曲部４８ｃがそれぞれ設けられている。
【００１６】
ソケットカバー５は、図５（ａ）に示すように、金属製でかつ矩形状の平板部材（以下「カバー平板部材」という。）５１を備えており、このカバー平板部材５１の略中央部にはベース開口部４２と略同形の開口部（以下「カバー開口部」という。）５２が設けられ、このカバー平板部材５１の両側縁部（図中上下部）には、図５（ｂ）に示すように、下方に向けて枠部材５３ａ、５３ｂが連設され、一端縁部（図中右側）の中央部には後述する操作レバー６の回動押圧部を係止する係合部５４が設けられている。ここで、係合部は、カバー平板部材５１のプレス加工等により形成される凹陥部５４ａを備えている。また、カバー平板部材５１の４隅には、第１、第２の挿通孔３３、４３と対応する挿通孔（以下「第３の挿通孔」という。）５５が、一方の枠部材５３ｂ（図中下部側）には、図５（ｃ）に示すように、フック部４８と対応する矩形状の切欠部５６が、一対の枠部材５３ａ、５３ｂには一対の軸棒４５ａ、４５ｂと対応する円形の透孔５７ａ、５７ｂが設けられている。さらに、矩形状のカバー開口部５２の内周縁の各辺部には、ソケットベース２の凹部２１に収納される電子部品１を押圧するための複数個（例えば４個）の爪部５８ａ〜５８ｄ（以下「図中左側の爪部を第１の爪部５８ａ、上側の爪部を第２の爪部５８ｂ、下側の爪部を第３の爪部５８ｃ、右側の爪部を第４の爪部５８ｄ」という。）がカバー開口部５２の中心部下方に向けて突設されている。ここで、第１〜第４の爪部材５８ａ〜５８ｄは、それぞれ同様の構成とされ、平面視で台形状を呈しており、その底辺部はカバー開口部５２の内周縁部に連設され、上辺部は、図５（ｄ）に示すように、カバー開口部５２の中心部下方に向けて若干傾斜するように突設されている。
【００１７】
操作レバー６は、図６（ａ）に示すように、金属棒体をＬ字状に折曲したもので構成され、その水平部分（以下「シャフト部」という。）６１の略中央部にはソケットカバー５の係合部５４に係止するための回動押圧部６１ａが設けられ、垂直部分（以下「アーム部」という。）６２の上方部には把持部材６３が設けられている。ここで、回動押圧部６１ａは、シャフト部６１としての金属棒体を同一平面内において台形状に折曲したもので構成され、かかる回動押圧部６１ａを有する面は、図６（ｂ）に示すように、アーム部６２に対して若干傾くように捩られて形成されている。
【００１８】
次に、本発明の一実施例における電子部品用ソケットの組立方法について説明する。
【００１９】
先ず、図７に示すように、下部ソケットベース３上に上部ソケットべ−ス４を、下部ソケットベース３の突起３４（図３参照）と上部ソケットベース４の透孔４４（図４参照）との軸線を一致させて載置し、両者を一体化する。これにより、ソケット開口部４２（図４参照）内に格子状に配列された電極部３２（図３参照）が露出すると共に第１の挿通孔３３（図３参照）と第２の挿通孔４３（図４参照）の軸線が一致するソケットベース２（図２参照）が得られる。ここで、ソケットベース２を構成するソケット開口部４２は、電子部品１が収容される凹部２１を形成することになる。
【００２０】
次に、このようにして一体化されたソケットベース２をプリント基板７上に、第１、第２の挿通孔３３、４３とプリント基板７に設けられた挿通孔（不図示）の軸線を一致させて載置すると共に、操作レバー６のシャフト部６１を下部ソケットべ−ス３の半円溝３５（図３参照）と上部ソケットべ−ス４の半円溝４７ａ、４７ｂ（図４参照）間に装着する。そして、プリント基板７の下方から丸ネジ等のネジ部材（不図示）をプリント基板７の挿通孔及びソケットベース２の第１、第２の挿通孔３３、４３に挿通し、ネジ部材の先端部にナットを螺着して回動すると共に操作レバー６のシャフト部６１の先端部にストッパ用のＣリング６４を嵌着する。
【００２１】
これにより、図２に示すように、ソケットベース２がプリント基板７に対して一体に締結されると共に操作レバー６のシャフト部６１が一対の軸受部４６ａ、４６ｂに回動可能に枢着され、かつ操作レバー６の回動押圧部６１ａが一対の軸受部４６ａ、４６ｂ間に枢着部を中心にして回動可能に配置されることになる。
【００２２】
次いで、ソケットカバー５に設けられた一対の円形の透孔５７ａ、５７ｂをそれぞれ対応する一対の軸棒４５ａ、４５ｂに嵌着し、当該軸棒４５ａ、４５ｂの先端部をかしめる。これにより、ソケットカバー５がソケットベース２の一方の端縁部に回動可能に枢着される。
【００２３】
次に、このようにして組立てられた本発明の電子部品用ソケットに電子部品を収納し、当該電子部品を固定する方法について説明する。
【００２４】
先ず、図８（ａ）に示すように、電子部品１を本発明に係る電子部品用ソケットの凹部２１（図２参照）に収納し、図８（ｂ）に示すように、ソケットカバー５の自由端をソケットベース２の一端縁部側（図中右側）に向けて回動する。これにより、電子部品１の電極端子１２とソケットベース２の電極部３２とが接触すると共に電子部品１の第１の爪部５８ａ（図５（ａ）参照）に近接する部分が第１の爪部５８ａで軽く押圧される。次いで、ソケットカバー５の自由端をソケットベース２の一端縁部（図中右側）に向けて押圧すると共に操作レバー６の把持部材６３を点線で示すようにソケットべ−ス３の他端縁部側（図中左側）に向けて一部回動して回動押圧部６１ａ（図６（ａ）参照）をソケットカバー５の凹陥部５４ａ（図５（ａ）参照）に係合する。これにより、電子部品１の電極端子１２とソケットべ−ス２の電極部３２との接触が保持された状態で、電子部品１の第１〜第４の爪部５８ａ〜５８ｄ（図５（ａ）参照）に近接する部分が第１〜第４の爪部５８ａ〜５８ｄで固定される。そして、図８（ｃ）に示すように、さらに操作レバー６の把持部材６３をソケットベース２の他端縁部側に向けて回動し、操作レバー６のアーム部６２がフック部４８の上部に到達した時点で、アーム部６２をフック部４８の傾斜部４８ｂ（図４（ｃ）参照）側に若干ずらし、図８（ｄ）に示すように、さらに下方に押し下げるとアーム部６２がフック部４８の湾曲部４８ｃ（図４（ｃ）参照）に係止される。図８（ｅ）は、このようにして電子部品１がソケットベース２へ収納・固定された状態の斜視図を示している。
これにより、電子部品１の各電極端子１２がソケットべ−ス２の対応する各電極部３２に均一な押圧力が付与されて接触することになる。
【００２５】
なお、前述の実施例においては、ソケットカバーに第１〜第４の爪部を設けた場合について説明しているが、本発明はこれに限定されず、第１の爪部及び第４の爪部若しくは第１〜第３の爪部を設けても同様の効果を奏する。また、電子部品はＢＧＡに限定されず、ＬＧＡ（Ｌａｎｄ  Ｇｒｉｄ  Ａｒｒａｙ）、ＣＳＰ（Ｃｈｉｐ  Ｓｉｚｅ  Ｐａｃｋａｇｅ）、ＰＧＡ（Ｐｉｎ  Ｇｒｉｄ  Ａｒｒａｙ）若しくはマイクロＰＧＡでもよい。
【００２６】
【発明の効果】
以上の説明から明らかなように、本発明の電子部品用ソケットによれば、操作レバーの回動押圧部によりソケットカバーを電子部品の電極端子とソケットベースの電極部との接触を保持するように電子部品に対して押圧することができ、また、この状態で操作レバーのアーム部をロック部に係止することができることから、簡単な構成で電子部品の電極端子とソケット本体の電極部との接触部に均一な押圧力を付与することができ、また、電子部品用ソケットが小型化され軽量であることから、バーンインテスト用としてのみならず実装用にも適用することができる。
【図面の簡単な説明】
【図１】電子部品の一実施例を示す側面図。
【図２】本発明の電子部品用ソケットの一実施例を示す斜視図。
【図３】本発明の電子部品用ソケットにおけるソケットベース（下部ソケットべ−ス）の一実施例を示す説明図で、（ａ）は同ソケットベースの平面図、（ｂ）は同ソケットベースの側面図。
【図４】本発明の電子部品用ソケットにおけるソケットベース（上部ソケットべ−ス）の一実施例を示す説明図で、（ａ）は同ソケットべ−スの平面図、（ｂ）は（ａ）のＡ−Ａ線に沿う断面図、（ｃ）は（ａ）のＢ−Ｂ線に沿う断面図。
【図５】本発明の電子部品用ソケットにおけるソケットカバーの一実施例を示す説明図で、（ａ）は同ソケットカバーの平面図、（ｂ）は同ソケットカバーの側面図、（ｃ）は同ソケットカバーの正面図、（ｄ）は（ａ）のＡ−Ａ線に沿う断面図。
【図６】本発明の電子部品用ソケットにおける操作レバーの一実施例を示す説明図で、（ａ）は同操作レバーの正面図、（ｂ）は同操作レバーの側面図。
【図７】本発明の電子部品用ソケットにおけるソケットべ−スの一実施例を示す説明図。
【図８】本発明の電子部品用ソケットに対する電子部品の装着手順を示す説明図で、（ａ）は電子部品と電子部品用ソケットとの関係を示す説明図、（ｂ）はソケットカバーの回動状態を示す説明図、（ｃ）は操作レバーの回動状態を示す説明図、（ｄ）は電子部品をソケットベースに収納・固定した状態を示す正面図、（ｅ）は電子部品をソケットベースに収納・固定した状態を示す斜視図。
【符号の説明】
１…電子部品
１２…電極端子
２…ソケットベース
３２…電極部
３４…ロック部
５…ソケットカバー
５４…係合部
５８ａ…第１の爪部
５８ｂ…第２の爪部
５８ｃ…第３の爪部
５８ｄ…第４の爪部
６…操作レバー
６１ａ…回動押圧部
６２…アーム部
【図１】
2004152535.tif 000003
【図２】
2004152535.tif 000004
【図３】
2004152535.tif 000005
【図４】
2004152535.tif 000006
【図５】
2004152535.tif 000007
【図６】
2004152535.tif 000008
【図７】
2004152535.tif 000009
【図８】
2004152535.tif 000010